(57)【要約】【課題】熱交換器で生成されたドレン水が速やかに排出できるようにする。【解決手段】熱交換器設置部６の底板周縁寄りに列設した複数個の熱交換器載置棚７に、熱交換器３の背面側３Ａの部分を載置して、熱交換器３の前面側３Ｂが中央寄りの排水溝８の上に位置するように設置し、熱交換器３の背面側３Ａ側の熱交換器載置棚７と排水溝８とを連通する樋９を熱交換器３の下側の底板５に設けるようにした。【選択図】  図１
2005188837.tif 000002
【特許請求の範囲】
【請求項１】
筐体内に冷媒圧縮機、送風機、熱交換器などを備えた空気調和機の室外機において、筐体の底板に熱交換器が部分的に載置された棚部と、排水用の溝部とが隣接され、熱交換器の一方の側の熱交換器載置棚部と、排水用溝部とを連通する樋部が熱交換器下方の底板に形成されたことを特徴とする空気調和機の室外機。
【請求項２】
熱交換器の一方の側の熱交換器載置棚部が筐体底板の周縁寄りに設けられ、排水用溝部が筐体底板の中央寄りに設けられたことを特徴とする請求項１記載の空気調和機の室外機。
【発明の詳細な説明】
【技術分野】
【０００１】
本発明は、室内壁面などに設置される室内機と共同して室内空気の温度調節などに供される空気調和機の室外機に関するものである。
【背景技術】
【０００２】
この種の室外機としては、例えば図５に示したように廉価で強度に優れた鋼製の筐体１の内部に冷媒を圧縮する圧縮機２、冷房運転時には冷媒が周囲の空気に放熱して凝縮し、暖房運転時には冷媒が周囲の空気から吸熱して蒸発する熱交換器３、外気を筐体内に取り込んで熱交換器３の伝熱フィンに吹き付ける送風機４などを備えた室外機１００Ｘが周知である（例えば、特許文献１参照。）。
【０００３】
そして、この室外機１００Ｘにおいては、熱交換器３で蒸発させた冷媒を室内機に送って凝縮させ、凝縮熱により室内空気を加熱する暖房運転時には、送風機４により機外から取り込んだ外気が熱交換器３で冷媒が蒸発する際に生成される冷熱により冷却されてドレン水が発生するので、図５に示したように、そのドレン水を機外に速やかに排出可能とするための排水穴１０が適所に設けられた排水溝８Ｘを底板５に設けるようにしている。
【特許文献１】特開２００１−１６５４７２号
【発明の開示】
【発明が解決しようとする課題】
【０００４】
特許文献１に提案された空気調和機の室外機においては、排水溝が熱交換器の真下に設けられ、熱交換器が排水溝の両側の底板に架設されているため、熱交換器の構造にもよるが、熱交換器で生成されたドレン水が排水溝の両側の底板に少なからず流れて、速やかな排水ができないことがあったので、熱交換器がどのような構造であってもドレン水が確実に排水溝に導かれ、速やかに排出できるようにする必要があった。
【課題を解決するための手段】
【０００５】
本発明は上記従来技術の課題を解決するため、筐体内に冷媒圧縮機、送風機、熱交換器などを備えた空気調和機の室外機において、筐体の底板に熱交換器が部分的に載置された棚部と、排水用の溝部とが隣接され、熱交換器の一方の側の熱交換器載置棚部と、排水用溝部とを連通する樋部を熱交換器下方の底板に形成したことを主要な特徴とするものである。
【発明の効果】
【０００６】
本発明によれば、熱交換器の一方の側で生成されるドレン水は熱交換器載置棚部に流れ、熱交換器の他方の側で生成されるドレン水は排水用溝部に直接流れるが、熱交換器載置棚部に流れたドレン水は樋部を介して排水用溝部に流れるので、熱交換器で生成されるドレン水は排水用溝部を介して機外に速やかに排出される。
【発明を実施するための最良の形態】
【０００７】
熱交換器が部分的に載置された棚部を筐体底板の周縁寄りに設け、排水用溝部を筐体底板の中央寄りに設け、熱交換器の底板周縁側の熱交換器載置棚部と排水用溝部とを連通する樋部を熱交換器下方の底板に設けた空気調和機の室外機。
【実施例１】
【０００８】
本発明の一実施例を、図１〜図４に基づいて説明する。なお、理解を容易にするため、これらの図面においても前記図５において説明した部分と同様の機能を有する部分には、同一の符号を付した。
【０００９】
本発明の室外機１００においても、図３に示すように鋼製の筐体１の内部には冷媒を圧縮するための圧縮機２と、熱交換器３と、送風機支持板４Ａにて支持された送風機４とが装備されている。なお、熱交換器３は、上から見た形が略Ｌ字状に形成・配置されて、熱交換器３の伝熱管内を流れる冷媒と、送風機４により機外から取り込まれた空気との熱交換効率が高められている。
【００１０】
底板５の熱交換器３が設置される熱交換器設置部６には、熱交換器載置棚７と排水溝８とが隣接して設けられている。なお、複数個の熱交換器載置棚７は点在し、熱交換器３は長さ方向の両端部分と、その間の適宜の部位で熱交換器載置棚７の上に載置されている。
【００１１】
また、熱交換器載置棚７は底板５の周縁寄りに設けられ、熱交換器３の厚さ方向の略１／２の背面側３Ａの部分が熱交換器載置棚７に載置され、熱交換器３の厚さ方向の残余の前面側３Ｂが底板５の主に中央寄りに設けられている排水溝８の上に位置するように設置されている。
【００１２】
また、排水溝８に向かって下り勾配とした樋９が熱交換器３の下側の底板５に設けられて、熱交換器３の背面側３Ａ側の熱交換器設置部７と排水溝８とが連通している。そして、排水溝８には排水穴１０が設けられている。なお、９Ａは熱交換器載置棚７と樋９との間に設けられている傾斜面である。
【００１３】
したがって、本発明の室外機１００においては、暖房運転時に熱交換器３で外気が冷却されて発生するドレン水の内、前面側３Ｂの部分で発生するドレン水は排水溝８に直接滴下する。また、背面側３Ａの部分で発生するドレン水も熱交換器３の長手方向の大部分は排水溝８に直接滴下し、背面側３Ａの部分で発生し底板５のコーナ部５Ａ近傍以外の熱交換器載置棚７に流下したドレン水は熱交換器載置棚７の周囲にある排水溝８に流れ込み、底板５のコーナ部５Ａにある熱交換器載置棚７に流下したドレン水は、主に樋９を介して排水溝８に至るので、排水穴１０を介して速やかに機外に排出される。
【００１４】
なお、底板５は、熱交換器設置部６以外においてもプレス成型加工により凹凸部が形成され、曲げ剛性の改善と、筐体１に浸入した雨水の速やかな排出が可能となっている。すなわち、排水溝８の排水穴１０は、底板５の最も低い位置に開設されている。
【００１５】
本発明は上記実施形態に限定されるものではないので、特許請求の範囲に記載の趣旨から逸脱しない範囲で各種の変形実施が可能である。
【００１６】
例えば、熱交換器３の下側の底板５に設ける樋９は、図示したように底板５の周縁側から中央部側に下り傾斜に設けても良いし、単に水平に設けることも可能である。
【００１７】
また、熱交換器設置部６以外の部分に設ける排水溝にも排水穴を設けて、筐体１に浸入した雨水などが速やかに排出できるようにすることも可能である。
【図面の簡単な説明】
【００１８】
【図１】本発明室外機の要部の説明図である。
【図２】本発明室外機の要部を拡大した説明図である。
【図３】本発明室外機の前面板と背面板と天面板とを外して示す内部の説明図である。
【図４】本発明室外機の外観の説明図である。
【図５】従来技術を示す説明図である。
【符号の説明】
【００１９】
１  筐体
２  圧縮機
３  熱交換器
３Ａ  背面側
３Ｂ  前面側
４  送風機
４Ａ  支柱
５  底板
５Ａ  コーナ部
６  熱交換器設置部
７  熱交換器載置棚
８  排水溝
９  樋（樋部）
９Ａ  傾斜部
１０  排水穴
１００、１００Ｘ  室外機
【図１】
2005188837.tif 000003
【図２】
2005188837.tif 000004
【図３】
2005188837.tif 000005
【図４】
2005188837.tif 000006
【図５】
2005188837.tif 000007